(57)【要約】  一群の煙草（３）を包装材シート（２）で包む方法であって、煙草群（３）の第１の端壁（８ａ）を平らな包装材シート（２）と接触させ、これにより、煙草群（３）の大きい横縁（１０）が包装材シート（２）の長辺に平行になるようにすること、第１の端壁（８ａ）の大きい横縁（１０）を包むように包装材シート（２）をＵ字形に折りたたみ、これにより、包装材シート（２）が煙草群（３）の大きい側壁（６）の両方を部分的に覆うようにすること、第１の端壁（８ａ）の小さい横縁（１０）を包むように包装材シート（２）を折りたたみ、これにより、包装材シート（２）が大きい側壁（６）と小さい側壁（７）の両方を完全に覆い、第２の端壁（８ｂ）に１つの開放端を有するチューブ状パッケージを形成するようにすること、及び、包装材シート（２）を前記第２の端壁（８ｂ）の上に折りたたみ、これにより、煙草群（３）を包装材シート（２）で完全に包む段階を備えている。
2009536136.tif 000002
【特許請求の範囲】
【請求項１】
一群の煙草を包装材シートで包む方法において、
前記包装材シート（２）が長方形をなし、２つの平行で向き合う長辺と２つの平行で向き合う短辺を備え、
前記煙草群（３）がほぼ矩形横断面を持つ平行六面体の形をなし、前記煙草の円筒形周壁により限定された２つの平行で向き合う大きい側壁（６）と、前記煙草の円筒形周壁により限定された２つの平行で向き合う、前記大きい側壁（６）より小の小さい側壁（７）と、前記煙草の平らな端により限定された２つの平行で向き合う端壁（８）を備え、前記２つの大きい側壁（６）と前記２つの小さい側壁（７）の間で４つの縦縁（９）が限定されており、前記２つの大きい側壁（６）と前記２つの端壁（８）の間で４つの大きい横縁（１０）が限定されており、２つの小さい側壁７と２つの端壁（８）の間で４つの小さい横縁（１０）が限定されており、
前記方法は、
前記煙草群（３）の第１の端壁（８ａ）を前記平らな包装材シート（２）と接触させ、これにより、前記煙草群（３）の大きい横縁（１０）が前記包装材シート（２）の長辺に平行になり、前記煙草群（３）の小さい横縁（１０）が前記包装材シート（２）の短辺に平行になるようにする工程と、
前記第１の端壁（８ａ）の大きい横縁（１０）を包むように前記包装材シート（２）をＵ字形に折りたたみ、これにより、前記包装材シート（２）が前記大きい側壁（６）の両方を部分的に覆うようにする工程と、
前記第１の端壁（８ａ）の小さい横縁（１０）を包むように前記包装材シート（２）を折りたたみ、これにより、前記包装材シート（２）が前記大きい側壁（６）と前記小さい側壁（７）の両方を完全に覆い、第２の端壁（８ｂ）に１つの開放端を有するチューブ状パッケージを形成するようにする工程とを備えている方法。
【請求項２】
更に、前記包装材シート（２）を前記第２の端壁（８ｂ）の上に折りたたみ、これにより、前記煙草群（３）を前記包装材シート（２）で完全に包む段階を備えている、請求項１に記載の方法。
【請求項３】
前記包装材シート（２）を前記第２の端壁（８ｂ）の上に折りたたむ工程が、前記第２の端壁（８ｂ）の２つの小さい横縁（１０）を包むように前記包装材シート（２）を折りたたむこと、及び、次に前記第２の端壁（８ｂ）の２つの大きい横縁（１０）を包むように前記包装材シート（２）を折りたたむ段階を備えている、請求項１に記載の方法。
【請求項４】
前記煙草群（３）の第１の端壁（８ａ）を前記包装材シート（２）の中心において前記包装材シート（２）の長辺と前記包装材シート（２）の短辺の両方に関して対称になるように位置決めする、請求項１、２又は３に記載の方法。
【請求項５】
更に、前記包装材シート（２）の表面に、前記包装材シート（２）の短辺に平行かつ近接し、前記包装材シート（２）の切り取り頂端部分（４）を限定する切り取り線（５）を形成する工程を備えている、請求項１〜４のいずれか１項に記載の方法。
【請求項６】
更に、前記包装材シート（２）の表面に、各々、前記包装材シート（２）の短辺に平行かつ近接し、前記包装材シート（２）の切り取り頂端部分（４）を限定する２本の切り取り線（５）を形成する工程を備えている、請求項１〜４のいずれか１項に記載の方法。
【請求項７】
一群の煙草を包装材シートで包む方法において、
前記包装材シート（２）が長方形をなし、２つの平行で向き合う長辺と２つの平行で向き合う短辺を備え、
前記煙草群（３）がほぼ三角形横断面を持つ正三角柱の形をなし、前記煙草の円筒形周壁により限定された３つの側壁（１１）と、前記煙草の平らな端により限定された２つの平行で向き合う端壁（８）を備え、前記３つの側壁（１１）の間で３つの縦縁（９）が限定されており、前記３つの側壁（１１）と前記２つの端壁（８）の間で６つの横縁（１０）が限定されており、
前記方法は、
前記煙草群（３）の第１の端壁（８ａ）を前記平らな包装材シート（２）と接触させ、これにより、前記煙草群（３）の第１の側壁（１１ａ）が前記包装材シート（２）の長辺に垂直に、かつ、前記包装材シート（２）の短辺に平行になるようにする工程と、
前記包装材シート（２）の第１の部分を前記第１の側壁（１１ａ）の上に折りたたむ工程と、
前記第１の側壁（１１ａ）から突き出る前記包装材シート（２）の第１部分の端を第２の側壁（１１ｂ）と第３の側壁（１１ｃ）の上に折りたたむ工程と、
前記包装材シート（２）の第１部分と向き合う第２部分を前記第２の側壁（１１ｂ）と第３の側壁（１１ｃ）の上に折りたたみ、かつ部分的に、先に折りたたまれた前記包装材シート（２）の第１部分の上に折りたたみ、これにより、第２の端壁（８ｂ）に１つの開放端を有するチューブ状パッケージを形成させる工程とを備えている方法。
【請求項８】
更に、前記包装材シート（２）を前記第２の端壁（８ｂ）の上に折りたたみ、これにより、前記煙草群（３）を前記包装材シート（２）で完全に包む段階を備えている、請求項７に記載の方法。
【請求項９】
前記包装材シート（２）を前記第２の端壁（８ｂ）の上に折りたたむ工程が、前記第２の端壁（８ｂ）の３つの横縁（１０）を包むように前記包装材シート（２）を連続的に折りたたむ段階を備えている、請求項８に記載の方法。
【請求項１０】
前記煙草群（３）の第１の端壁（８ａ）を前記包装材シート（２）の中心において前記包装材シート（２）の長辺と前記包装材シート（２）の短辺の両方に関して対称になるように位置決めする、請求項７、８又は９に記載の方法。
【請求項１１】
更に、前記包装材シート（２）の表面に、各々、前記包装材シート（２）の短辺に平行かつ近接し、前記包装材シート（２）の切り取り頂端部分（４）を限定する２本の切り取り線（５）を形成する工程を備えている、請求項７〜１０のいずれか１項に記載の方法。
【請求項１２】
一群の煙草を包装材シートで包む方法において、
前記包装材シート（２）が長方形をなし、２つの平行で向き合う長辺と２つの平行で向き合う短辺を備え、
前記煙草群（３）がほぼ八角形横断面を持つ平行十面体の形をなし、前記煙草の円筒形周壁により限定された８つの側壁（１１）と、前記煙草の平らな端により限定された２つの平行で向き合う端壁（８）を備え、前記８つの側壁（１１）の間で８つの縦縁が限定されており、前記８つの側壁（１１）と前記２つの端壁（８）の間で１６つの横縁が限定されており、
前記方法は、
前記煙草群（３）の第１の端壁（８ａ）を前記平らな包装材シート（２）と接触させる工程と、
前記包装材シート（２）の２つの向き合う部分を前記煙草群（３）の２つの平行で向き合う第１の側壁（１１ａ）の上に折りたたむことにより、前記煙草群（３）を前記包装材シート（２）でＵ字形に包む工程と、
前記煙草群（３）の第１の端壁（８ａ）から突き出る前記包装材シート（２）の端を、前記煙草群（３）の第１の側壁（１１ａ）に垂直な前記煙草群（３）の２つの平行で向き合う第２の側壁（１１ｂ）の上に折りたたむ工程と、
前記煙草群（３）の第１の側壁（１１ａ）から突き出る前記包装材シート（２）の４つの折り返し片を２つずつ互いに重ね合わせて前記煙草群（３）の第２の側壁（１１ｂ）の上に折りたたみ、これにより、前記第２の端壁（８ｂ）に１つの開放端を有するチューブ状パッケージを形成させる工程とを備えている方法。
【請求項１３】
更に、前記包装材シート（２）を前記第２の端壁（８ｂ）の上に折りたたみ、これにより、前記煙草群（３）を前記包装材シート（２）で完全に包む段階を備えている、請求項１２に記載の方法。
【請求項１４】
前記包装材シート（２）を前記第２の端壁（８ｂ）の上に折りたたむ工程が、前記第２の端壁（８ｂ）の４つの横縁を包むように前記包装材シート（２）を連続的に折りたたむ段階を備えている、請求項１３に記載の方法。
【請求項１５】
前記煙草群（３）の第１の端壁（８ａ）を前記包装材シート（２）の中心において前記包装材シート（２）の長辺と前記包装材シート（２）の短辺の両方に関して対称になるように位置決めする、請求項１２、１３又は１４に記載の方法。
【請求項１６】
更に、前記包装材シート（２）の表面に、前記包装材シート（２）の短辺に平行かつ近接し、前記包装材シート（２）の切り取り頂端部分（４）を限定する切り取り線（５）を形成する工程を備えている、請求項１２〜１５のいずれか１項に記載の方法。
【請求項１７】
更に、前記包装材シート（２）の表面に、各々、前記包装材シート（２）の短辺に平行かつ近接し、前記包装材シート（２）の切り取り頂端部分（４）を限定する２本の切り取り線（５）を形成する工程を備えている、請求項１２〜１５のいずれか１項に記載の方法。
【請求項１８】
一群の煙草を包装材シートで包む方法において、
前記包装材シート（２）が長方形をなし、２つの平行で向き合う長辺と２つの平行で向き合う短辺を備え、
前記煙草群（３）がほぼ台形横断面を持つ台形柱の形をなし、前記煙草の円筒形周壁により限定された４つの側壁（１１）と、前記煙草の平らな端により限定された２つの平行で向き合う端壁（８）を備え、前記４つの側壁（１１）の間で４つの縦縁が限定されており、前記４つの側壁（１１）と前記２つの端壁（８）の間で８つの横縁が限定されており、
前記方法が、
前記煙草群（３）の第１の端壁（８ａ）を前記平らな包装材シート（２）と接触させる工程と、
前記包装材シート（２）の２つの向き合う部分を前記煙草群（３）の２つの平行で向き合う第１の側壁（１１ａ）の上に折りたたむことにより、前記煙草群（３）を前記包装材シート（２）でＵ字形に包む工程と、
前記煙草群（３）の第１の端壁（８ａ）から突き出る前記包装材シート（２）の端を、前記煙草群（３）の第１の側壁（１１ａ）に関して傾斜する前記煙草群（３）の２つの向き合う第２の側壁（１１ｂ）の上に折りたたむ工程と、
前記煙草群（３）の第１の側壁（１１ａ）から突き出る前記包装材シート（２）の４つの折り返し片を２つずつ互いに重ね合わせて前記煙草群（３）の第２の側壁（１１ｂ）の上に折りたたみ、これにより、前記第２の端壁（８ｂ）に１つの開放端を有するチューブ状パッケージを形成させる工程とを備えている方法。
【請求項１９】
更に、前記包装材シート（２）を前記第２の端壁（８ｂ）の上に折りたたみ、これにより、前記煙草群（３）を前記包装材シート（２）で完全に包む段階を備えている、請求項１８に記載の方法。
【請求項２０】
前記包装材シート（２）を前記第２の端壁（８ｂ）の上に折りたたむ工程が、前記第２の端壁（８ｂ）の４つの横縁を包むように前記包装材シート（２）を連続的に折りたたむ段階を備えている、請求項１９に記載の方法。
【請求項２１】
前記煙草群（３）の第１の端壁（８ａ）を前記包装材シート（２）の中心において前記包装材シート（２）の長辺と前記包装材シート（２）の短辺の両方に関して対称になるように位置決めする、請求項１８、１９又は２０に記載の方法。
【請求項２２】
更に、前記包装材シート（２）の表面に、前記包装材シート（２）の短辺に平行かつ近接し、前記包装材シート（２）の切り取り頂端部分（４）を限定する切り取り線（５）を形成する工程を備えている、請求項１８〜２１のいずれか１項に記載の方法。
【請求項２３】
更に、前記包装材シート（２）の表面に、各々、前記包装材シート（２）の短辺に平行かつ近接し、前記包装材シート（２）の切り取り頂端部分（４）を限定する２本の切り取り線（５）を形成する工程を備えている、請求項１８〜２１のいずれか１項に記載の方法。
【発明の詳細な説明】
【技術分野】
【０００１】
本発明は、一群の煙草を包装材シートで包む方法に関する。
【０００２】
本発明は、特に有利な用途として、剛性のヒンジ式蓋付きパケットの製造において一群の煙草をフォイル包装材シートで包むために使用してよく、以下、これについて純粋に例に則して説明する。
【背景技術】
【０００３】
剛性のヒンジ式蓋付き煙草パケットでは、煙草群を、表面に膠が塗付されていないフォイル内包装材シートに包み込む。表面に膠が塗付された外包装材シートを内包装材シートの上にかぶせる。そして、外包装材シートを、透明のプラスチック包装材シートからなる耐水性上包装に包み込み、これを熱密封する。
【０００４】
フォイル内包装材シートは、常に長方形をなし、最初に煙草群を包むようにＵ字形に折りたたむ。煙草パケットの製造に使用される包装機のデザインに応じて、内包装材シートは、煙草に関して横方向であれ縦方向であれ、煙草群を包むようにＵ字形に手早く折りたたんでよい。
【０００５】
一群の煙草を包装材シートで包む１つの例が英国特許第７８５０７６号の中で述べられている。
【０００６】
フォイル内包装材シートは、切り取り線により限定された切り取り頂端部分を有し、煙草パケットを最初に開けた時、煙草を取り出し易くするために該頂端部分が切り取られる。切り取り頂端部分を限定する切り取り線は、通常真直であり、包装機において特殊な回転カッタにより形成される。
【０００７】
蓋がパケットの側方部分を覆っているだけで（例えば米国特許第５９５７２８０号の中で述べられている通り）、内包装材シートが最初に煙草群を煙草に関して縦方向に包むようにＵ字形に折りたたまれる時、切り取り頂端部分を限定する切り取り線は、機械で作るのが困難であるような複雑な形になっていることがあり得る。
【発明の開示】
【発明が解決しようとする課題】
【０００８】
本発明の課題は、一群の煙草を包装材シートで包む方法において、上述の欠点を無くすべく設計され、同時に、安上りで容易に実現できる方法を提供することである。
【課題を解決するための手段】
【０００９】
この課題は、本発明に従い、付記請求項に記載された通りの、一群の煙草を包装材シートで包む方法によって解決される。
【発明を実施するための最良の形態】
【００１０】
以下、本発明の多数の無制限の実施例を添付図面に則して詳細に説明する。
【００１１】
図１の参照番号１は、全体として、整然とした煙草群３（図２）を包むように矩形断面の平行六面体の形に折りたたまれたフォイル内包装材シート２により限定されたパッケージを表す。パッケージ１は、切り取り線５により限定された切り取り頂端部分４を備え、パッケージ１を最初に開けた時、煙草群３を取り出し易くするために該頂端部分が切り取られる。
【００１２】
図３に示した通り、包装材シート２は長方形をなし、２つの平行で向き合う長辺と２つの平行で向き合う短辺を備えている。
【００１３】
図４に示した通り、煙草群３はほぼ矩形断面の平行六面体の形をなし、煙草の円筒形周壁により限定された２つの平行で向き合う大きい矩形側壁６（１つだけが図４に示してある）と、煙草の円筒形周壁により限定された２つの平行で向き合う、大きい矩形側壁６より小の小さい矩形側壁７（１つだけが図４に示してある）と、煙草の平らな端により限定された２つの平行で向き合う矩形端壁８（１つだけが図４に示してある）を備えている。２つの大きい側壁６と２つの小さい側壁７の間で４つの縦縁９が限定されており、２つの大きい側壁６と２つの端壁８の間で４つの大きい横縁１０が限定されており、２つの小さい側壁７と２つの端壁８の間で４つの小さい横縁１０が限定されている。
【００１４】
では、図１のパッケージ１を形成すべく煙草群３を包装材シート２で包む手順を特に図４〜８に則して説明する。
【００１５】
先ず、図４に示した通り、煙草群３の第１の端壁８ａを平らな包装材シート２と接触させ、これにより、煙草群３の大きい横縁１０が包装材シート２の長辺に平行になり、煙草群３の小さい横縁１０が包装材シート２の短辺に平行になるようにする。好ましくは、煙草群３の第１の端壁８ａを包装材シート２の中心において包装材シート２の長辺と短辺の両方に関して対称になるように位置決めする。
【００１６】
次に、図５に示した通り、第１の端壁８ａの大きい横縁１０を包むように包装材シート２をＵ字形に折りたたみ、これにより、包装材シート２が大きい側壁６の両方を部分的に覆うようにする。
【００１７】
このポイントで、図６及び７に示した通り、第１の端壁８ａの小さい横縁１０を包むように包装材シート２を折りたたみ、これにより、包装材シート２が大きい側壁６と小さい側壁７の両方の全体を覆い、第１の端壁８ａと向き合う第２の端壁８ｂに１つの開放端を有するチューブ状パッケージを形成するようにする。この段階で、包装材シート２が２つのＺ字形の折り目を形成し、これが局部的に三角形の形状を包装材シート２に分け与え、部分的に重ね合わされ、第１の端壁８ａに近接した位置に来ることに注目することが重要である。
【００１８】
最後に、図８に示した通り、包装材シート２を第２の端壁８ｂの上に折りたたみ、煙草群３を包装材シート２で完全に包み、これにより、パッケージ１を形成させる。詳記するならば、包装材シート２を第２の端壁８ｂの上に折りたたむ工程は、第２の端壁８ｂの２つの小さい横縁１０を包むように包装材シート２を折りたたむ段階（図８）と、次に第２の端壁８ｂの２つの大きい横縁１０を包むように包装材シート２を折りたたむ段階を備えている。
【００１９】
添付図面に示した通り、包装材シート２は、包装材シート２の短辺に平行かつ近接し、切り取り頂端部分４を限定する切り取り線５を１本だけ有する。従って、切り取り頂端部分４は、図１及び２に明瞭に示した通り、パッケージ１の頂端の一部に当たるにすぎない。この実施例は、特に、剛性パケットの側方部分だけを覆うヒンジ式蓋を付けた剛性パケット（例えば米国特許第５９５７２８０号（US-5957280）の中で述べられている通りの）に適している。
【００２０】
異なる実施例（図示なし）では、包装材シート２は、各々、包装材シート２の短辺に平行かつ近接し、切り取り頂端部分４を限定する２本の切り取り線５を有する。従って、これはパッケージ１の頂端全体に当たる。この実施例は、特に、剛性パケットの頂端部分全体を覆うヒンジ式蓋を付けた剛性パケットに適している。別の実施例（図示なし）では、包装材シート２は、各々、包装材シート２の短辺に平行かつ近接し、包装材シート２の短辺より短く、切り取り頂端部分４を限定する２本の切り取り線５を有する。
【００２１】
図９の参照番号１は、全体として、整然とした煙草群３（図１０）を包むように正三角形横断面を持つ正三角柱の形に折りたたまれたフォイル内包装材シート２により限定されたパッケージを表す。パッケージ１は、切り取り線５により限定された切り取り頂端部分４を備え、パッケージ１を最初に開けた時、煙草群３を取り出し易くするために該頂端部分が切り取られる。
【００２２】
図１１に示した通り、包装材シート２は長方形をなし、２つの平行で向き合う長辺と２つの平行で向き合う短辺を備えている。
【００２３】
図１２に示した通り、煙草群３はほぼ三角形横断面を持つ正三角柱の形をなし、煙草の円筒形周壁により限定された３つの矩形側壁１１（２つだけが図１２に示してある）と、煙草の平らな端により限定された２つの平行で向き合う三角形端壁８（１つだけが図１２に示してある）を備えている。側壁１１の間で３つの縦縁９が限定されており、側壁１１と２つの端壁８の間で６つの横縁１０が限定されている。
【００２４】
では、図９のパッケージ１を形成すべく煙草群３を包装材シート２で包む手順を特に図１２〜１５に則して説明する。
【００２５】
先ず、図１２に示した通り、煙草群３の第１の端壁８ａを平らな包装材シート２と接触させ、これにより、煙草群３の第１の側壁１１ａが包装材シート２の長辺に垂直に、かつ、包装材シート２の短辺に平行になるようにし、そこで、煙草群３の第２の側壁１１ｂと第３の側壁１１ｃが包装材シート２の長辺と短辺に関して傾斜するようにする。好ましくは、煙草群３の第１の端壁８ａを包装材シート２の中心において包装材シート２の長辺と短辺の両方に関して対称になるように位置決めする。
【００２６】
次に、図１３に示した通り、包装材シート２の第１の部分を第１の側壁１１ａの上に折りたたむ。
【００２７】
このポイントで、図１４に示した通り、第１の側壁１１ａから突き出る包装材シート２の第１部分の端を第２の側壁１１ｂと第３の側壁１１ｃの上に折りたたみ、次に、図１４に示した通り、包装材シート２の第１部分と向き合う第２部分を第２の側壁１１ｂと第３の側壁１１ｃの上に折りたたみ、かつ部分的に、先に折りたたまれた包装材シート２の第１部分の上に折りたたみ、これにより、第２の端壁８ｂに１つの開放端を有するチューブ状パッケージを形成させる。
【００２８】
最後に、図１５に示した通り、包装材シート２を第２の端壁８ｂの上に折りたたみ、煙草群３を包装材シート２で完全に包み、これにより、パッケージ１を形成させる。詳記するならば、包装材シート２を第２の端壁８ｂの上に折りたたむ工程は、第２の端壁８ｂの３つの横縁１０を包むように包装材シート２を連続的に折りたたむ段階を備えている。
【００２９】
添付図面に示した通り、包装材シート２は、各々、包装材シート２の短辺に平行かつ近接し、切り取り頂端部分４を限定する２本の切り取り線５を有する。従って、これは、図９及び１０に明瞭に示した通り、パッケージ１の頂端全体に当たる。この実施例は、特に、剛性パケットの頂端部分全体を覆うヒンジ式蓋を付けた剛性パケットに適している。別の実施例（図示なし）では、包装材シート２は、各々、包装材シート２の短辺に平行かつ近接し、包装材シート２の短辺より短く、切り取り頂端部分４を限定する２本の切り取り線５を有する。
【００３０】
異なる実施例（図示なし）では、包装材シート２は、包装材シート２の短辺に平行かつ近接し、切り取り頂端部分４を限定する切り取り線５を１本だけ有する。従って、切り取り頂端部分４は、パッケージ１の頂端の一部に当たるにすぎない。この実施例は、特に、剛性パケットの側方部分だけを覆うヒンジ式蓋を付けた剛性パケット（例えば米国特許第５９５７２８０号（US-5957280）の中で述べられている通りの）に適している。
【００３１】
図２２の参照番号１は、全体として、整然とした煙草群３（図１６）を包むように不等辺八角形（すなわち、八角形の辺がすべて等しくない）横断面を持つ平行十面体の形に折りたたまれたフォイル内包装材シート２により限定されたパッケージを表す。パッケージ１は、切り取り線５により限定された切り取り頂端部分４を備え、パッケージ１を最初に開けた時、煙草群３を取り出し易くするために該頂端部分が切り取られる。
【００３２】
図１６に示した通り、包装材シート２は長方形をなし、２つの平行で向き合う長辺と２つの平行で向き合う短辺を備えている。
【００３３】
図１６に示した通り、煙草群３はほぼ八角形横断面の平行十面体の形をなし、煙草の円筒形周壁により限定された８つの矩形側壁１１（３つだけが図１６に示してある）と、煙草の平らな端により限定された２つの平行で向き合う八角形端壁８（１つだけが図１６に示してある）を備えている。８つの側壁１１の間で８つの縦縁が限定されており、８つの側壁１１と２つの端壁８の間で１６の横縁が限定されている。
【００３４】
では、図２２のパッケージ１を形成すべく煙草群３を包装材シート２で包む手順を特に図１６〜２１に則して説明する。
【００３５】
先ず、図１６に示した通り、煙草群３の第１の端壁８ａを平らな包装材シート２と接触させ、好ましくは、包装材シート２の中心において包装材シート２の長辺と短辺の両方に関して対称になるように位置決めする。
【００３６】
次に、図１７に示した通り、包装材シート２の２つの向き合う部分を煙草群３の２つの平行で向き合う第１の側壁１１ａの上に折りたたむことにより、煙草群３を包装材シート２でＵ字形に包む。
【００３７】
このポイントで、図１８に示した通り、煙草群３の第１の端壁８ａから突き出る包装材シート２の端を、煙草群３の第１の側壁１１ａに垂直な２つの平行で向き合う第２の側壁１１ｂの上に折りたたむ。
【００３８】
図１９及び２０に示した通り、煙草群３の第１の側壁１１ａから突き出る包装材シート２の４つの折り返し片を２つずつ互いに重ね合わせて煙草群３の第２の側壁１１ｂの上に折りたたみ、これにより、第２の端壁８ｂに１つの開放端を有するチューブ状パッケージを形成させる。
【００３９】
最後に、図２１に示した通り、包装材シート２を第２の端壁８ｂの上に折りたたみ、煙草群３を包装材シート２で完全に包み、これにより、パッケージ１を形成させる。詳記するならば、包装材シート２を第２の端壁８ｂの上に折りたたむ工程は、第２の端壁８ｂの４つの横縁を包むように包装材シート２を連続的に折りたたむ段階を備えている。
【００４０】
図２９の参照番号１は、全体として、整然とした煙草群３（図２３）を包むように二等辺台形横断面を持つ台形柱の形に折りたたまれたフォイル内包装材シート２により限定されたパッケージを表す。パッケージ１は、切り取り線５により限定された切り取り頂端部分４を備え、パッケージ１を最初に開けた時、煙草群３を取り出し易くするために該頂端部分が切り取られる。
【００４１】
図２３に示した通り、包装材シート２は長方形をなし、２つの平行で向き合う長辺と２つの平行で向き合う短辺を備えている。
【００４２】
図２３に示した通り、煙草群３はほぼ二等辺台形横断面を持つ平行六面体の形をなし、煙草の円筒形周壁により限定された４つの矩形側壁１１（２つだけが図２３に示してある）と、煙草の平らな端により限定された２つの平行で向き合う台形端壁８（１つだけが図２３に示してある）を備えている。４つの側壁１１の間で４つの縦縁が限定されており、４つの側壁１１と２つの端壁８の間で８つの横縁が限定されている。詳記するならば、２つの側壁１１ａは平行で向き合う大きい側壁で、２つの側壁１１ｂは、互いに向かって傾斜する、大きい側壁１１ａより小の小さい側壁である。
【００４３】
では、図２９のパッケージ１を形成すべく煙草群３を包装材シート２で包む手順を特に図２３〜２９に則して説明する。
【００４４】
先ず、図２３に示した通り、煙草群３の第１の端壁８ａを平らな包装材シート２と接触させ、好ましくは、包装材シート２の中心において包装材シート２の長辺と短辺の両方に関して対称になるように位置決めする。
【００４５】
次に、図２４に示した通り、包装材シート２の２つの向き合う部分を煙草群３の２つの平行で向き合う第１の側壁１１ａの上に折りたたむことにより、煙草群３を包装材シート２でＵ字形に包む。
【００４６】
このポイントで、図２５に示した通り、煙草群３の第１の端壁８ａから突き出る包装材シート２の端を、煙草群３の第１の側壁１１ａに関して傾斜する２つの向き合う第２の側壁１１ｂの上に折りたたむ。
【００４７】
図２６及び２７に示した通り、煙草群３の第１の側壁１１ａから突き出る包装材シート２の４つの折り返し片を２つずつ互いに重ね合わせて煙草群３の第２の側壁１１ｂの上に折りたたみ、これにより、第２の端壁８ｂに１つの開放端を有するチューブ状パッケージを形成させる。
【００４８】
最後に、図２８に示した通り、包装材シート２を第２の端壁８ｂの上に折りたたみ、煙草群３を包装材シート２で完全に包み、これにより、パッケージ１を形成させる。詳記するならば、包装材シート２を第２の端壁８ｂの上に折りたたむ工程は、第２の端壁８ｂの４つの横縁を包むように包装材シート２を連続的に折りたたむ段階を備えている。
【００４９】
煙草群３を包装材シート２で包むこの方法は、幾つかの利点を有する。すなわち、これは安上がりで、１つの包装機において容易に実現でき、かつ、なかんずく、剛性パケットの側方部分だけを覆うヒンジ式蓋を付けた剛性パケット（図１及び２）と、剛性パケットの頂端部分全体を覆うヒンジ式蓋を付けた剛性パケット（図９及び１０）の両方のケースにおいて、真直の切り取り線５を提供する。
【図面の簡単な説明】
【００５０】
【図１】本発明に係る方法を使って折りたたまれた第１のフォイル内包装材シートに包み込まれた第１の煙草群の斜視図である。
【図２】図１に示した第１の煙草群の斜視図で、第１のフォイル内包装材シートの切り取り頂端部分を除去した状態を示す。
【図３】第１のフォイル内包装材シートの展開図で、相対的折りたたみ線を示す。
【図４】第１の煙草群を第１の包装材シートで包む連続的工程を示す図解的斜視図である。
【図５】第１の煙草群を第１の包装材シートで包む連続的工程を示す図解的斜視図である。
【図６】第１の煙草群を第１の包装材シートで包む連続的工程を示す図解的斜視図である。
【図７】第１の煙草群を第１の包装材シートで包む連続的工程を示す図解的斜視図である。
【図８】第１の煙草群を第１の包装材シートで包む連続的工程を示す図解的斜視図である。
【図９】本発明に係る方法を使って折りたたまれた第２のフォイル内包装材シートに包み込まれた第２の煙草群の斜視図である。
【図１０】図９に示した第２の煙草群の斜視図で、第２のフォイル内包装材シートの切り取り頂端部分を除去した状態を示す。
【図１１】第２のフォイル内包装材シートの展開図で、相対的折りたたみ線を示す。
【図１２】第２の煙草群を第２の包装材シートで包む連続的工程を示す図解的斜視図である。
【図１３】第２の煙草群を第２の包装材シートで包む連続的工程を示す図解的斜視図である。
【図１４】第２の煙草群を第２の包装材シートで包む連続的工程を示す図解的斜視図である。
【図１５】第２の煙草群を第２の包装材シートで包む連続的工程を示す図解的斜視図である。
【図２２】本発明に係る方法を使って折りたたまれた第３のフォイル内包装材シートに包み込まれた第３の煙草群の斜視図である。
【図１６】第３の煙草群を第３の包装材シートで包む連続的工程を示す図解的斜視図である。
【図１７】第３の煙草群を第３の包装材シートで包む連続的工程を示す図解的斜視図である。
【図１８】第３の煙草群を第３の包装材シートで包む連続的工程を示す図解的斜視図である。
【図１９】第３の煙草群を第３の包装材シートで包む連続的工程を示す図解的斜視図である。
【図２０】第３の煙草群を第３の包装材シートで包む連続的工程を示す図解的斜視図である。
【図２１】第３の煙草群を第３の包装材シートで包む連続的工程を示す図解的斜視図である。
【図２９】本発明に係る方法を使って折りたたまれた第４のフォイル内包装材シートに包み込まれた第４の煙草群の斜視図である。
【図２３】第４の煙草群を第４の包装材シートで包む連続的工程を示す図解的斜視図である。
【図２４】第４の煙草群を第４の包装材シートで包む連続的工程を示す図解的斜視図である。
【図２５】第４の煙草群を第４の包装材シートで包む連続的工程を示す図解的斜視図である。
【図２６】第４の煙草群を第４の包装材シートで包む連続的工程を示す図解的斜視図である。
【図２７】第４の煙草群を第４の包装材シートで包む連続的工程を示す図解的斜視図である。
【図２８】第４の煙草群を第４の包装材シートで包む連続的工程を示す図解的斜視図である。
【図１】
2009536136.tif 000003
【図２】
2009536136.tif 000004
【図３】
2009536136.tif 000005
【図４】
2009536136.tif 000006
【図５】
2009536136.tif 000007
【図６】
2009536136.tif 000008
【図７】
2009536136.tif 000009
【図８】
2009536136.tif 000010
【図９】
2009536136.tif 000011
【図１０】
2009536136.tif 000012
【図１１】
2009536136.tif 000013
【図１２】
2009536136.tif 000014
【図１３】
2009536136.tif 000015
【図１４】
2009536136.tif 000016
【図１５】
2009536136.tif 000017
【図１６】
2009536136.tif 000018
【図１７】
2009536136.tif 000019
【図１８】
2009536136.tif 000020
【図１９】
2009536136.tif 000021
【図２０】
2009536136.tif 000022
【図２１】
2009536136.tif 000023
【図２２】
2009536136.tif 000024
【図２３】
2009536136.tif 000025
【図２４】
2009536136.tif 000026
【図２５】
2009536136.tif 000027
【図２６】
2009536136.tif 000028
【図２７】
2009536136.tif 000029
【図２８】
2009536136.tif 000030
【図２９】
2009536136.tif 000031
【手続補正書】
【提出日】平成21年1月13日(2009.1.13)
【手続補正１】
【補正対象書類名】明細書
【補正対象項目名】０００５
【補正方法】変更
【補正の内容】
【０００５】
一群の煙草を包装材シートで包む１つの例が英国特許第７８５０７６号、米国特許第２２６８９２６号及び米国特許第１２９５４６１号の中で述べられている。
【国際調査報告】
2009536136.tif 000032
2009536136.tif 000033
2009536136.tif 000034